(57)【要約】【課題】この発明は、映像表示パネルを照明する照明手段に対して点灯が要求された場合に、いつでも最適な輝度または色度を有する照明光を安定に照射させて画質の変動を防止することができ、十分に実用に適するようにした映像表示装置及び映像表示方法を提供することを目的としている。【解決手段】映像信号に基づいて表示映像を形成する表示パネル（１４ａ）と、表示パネル（１４ａ）に照明光を照射して映像表示を行なわせる照明手段（１４ｂ）と、照明手段（１４ｂ）に対して照明光の照射が要求されたとき、その要求時点以前における照明手段（１４ｂ）の点灯時間と消灯時間とに基づいて、照明手段（１４ｂ）から照射される照明光の輝度及び色度の少なくとも一方を補正する制御手段（６３，６３ｅ，６３ｆ）とを備える。【選択図】    図２
2010175936.tif 000002
【特許請求の範囲】
【請求項１】
映像信号に基づいて表示映像を形成する表示パネルと、
前記表示パネルに照明光を照射して映像表示を行なわせる照明手段と、
前記照明手段に対して照明光の照射が要求されたとき、その要求時点以前における前記照明手段の点灯時間と消灯時間とに基づいて、前記照明手段から照射される照明光の輝度及び色度の少なくとも一方を補正する制御手段とを具備することを特徴とする映像表示装置。
【請求項２】
前記制御手段は、前記照明手段から照射される照明光の輝度及び色度の少なくとも一方を補正するために予め設定された補正特性を有し、前記照明手段に対して照明光の照射が要求されたとき、その要求時点以前における前記照明手段の点灯時間と消灯時間との割り合いに基づいて、前記補正特性上における補正開始時点を設定することを特徴とする請求項１記載の映像表示装置。
【請求項３】
前記制御手段は、
前記照明手段に対して照明光の照射が要求されたとき、その時点以前における前記照明手段の点灯時間に対して消灯時間の割り合いが大きいほど、前記照明手段から照射される照明光の輝度及び色度の少なくとも一方を補正するための補正量を大きくし、
前記照明手段に対して照明光の照射が要求されたとき、その時点以前における前記照明手段の消灯時間に対して点灯時間の割り合いが大きいとき、前記照明手段から照射される照明光の輝度及び色度の少なくとも一方を補正するための補正量を少なくすることを特徴とする請求項１記載の映像表示装置。
【請求項４】
前記制御手段は、前記照明手段が点灯されて消灯される毎に、その点灯されている時間に対応した係数を累積加算した値と、前記照明手段が消灯されて点灯される毎に、その消灯されている時間に対応した係数を累積加算した値との差を評価値として算出し、前記評価値の値に応じて、前記照明手段から照射される照明光の輝度及び色度の少なくとも一方を補正することを特徴とする請求項１記載の映像表示装置。
【請求項５】
前記制御手段は、前記照明手段の点灯時間と係数とを対応させて予め用意された点灯時間係数テーブルから点灯時間に対応した係数を取得し、前記照明手段の消灯時間と係数とを対応させて予め用意された消灯時間係数テーブルから消灯時間に対応した係数を取得することを特徴とする請求項４記載の映像表示装置。
【請求項６】
前記制御手段は、前記照明手段の点灯時間に対応した係数を、現在保持されている評価値に加算して保持し、前記照明手段の消灯時間に対応した係数を、現在保持されている評価値から減算して保持することを特徴とする請求項５記載の映像表示装置。
【請求項７】
前記制御手段は、
前記評価値の値が大きいほど、前記照明手段から照射される照明光の輝度及び色度の少なくとも一方を補正するための補正量を少なくし、
前記評価値の値が小さいほど、前記照明手段から照射される照明光の輝度及び色度の少なくとも一方を補正するための補正量を大きくすることを特徴とする請求項６記載の映像表示装置。
【請求項８】
前記表示パネルは液晶表示パネルであり、前記照明手段は冷陰極線でなるバックライトであることを特徴とする請求項１記載の映像表示装置。
【請求項９】
映像信号に基づいて表示映像を形成する表示パネルに、照明手段により照明光を照射して映像表示を行なわせる工程と、
前記照明手段に対して照明光の照射が要求されたとき、その要求時点以前における前記照明手段の点灯時間と消灯時間との割り合いを求める工程と、
求められた割り合いに基づいて、前記照明手段から照射される照明光の輝度及び色度の少なくとも一方を補正する工程とを有することを特徴とする映像表示方法。
【発明の詳細な説明】
【技術分野】
【０００１】
この発明は、例えば液晶表示パネル等を用いて映像の表示を行なう映像表示装置及び映像表示方法の改良に関する。
【背景技術】
【０００２】
周知のように、近年では、映像の表示に液晶表示パネルを使用したテレビジョン放送受信装置が急速に普及してきている。そして、この液晶表示パネルは、ＣＲＴ（cathode ray tube）ディスプレイに比べて薄く軽量に構成されることから、特に、大画面指向のテレビジョン放送受信装置に多く使用される傾向にある。
【０００３】
ところで、液晶表示パネルは、例えば蛍光管や放電灯のような冷陰極管等に代表されるバックライトからの照明光を透過させることにより映像を表示している。このため、バックライトが発生する照明光の輝度または色度が変化すると、表示される映像の色味、つまり、色彩（色そのもの）、色合い、濃淡等が変動し、画質の変動を招くことになる。
【０００４】
しかしながら、現在、バックライトとして広く採用されている冷陰極管は、点灯されてから所定の時間が経過するまでの間は、照明光の輝度または色度が変動することが知られている。なお、点灯されてから照明光の輝度または色度が安定するまでに要する時間は、冷陰極管が点灯されたときの保有温度や周囲温度等に依存して異なるものである。
【０００５】
特許文献１には、電源起動時からの時間を計測するカウンタのカウント値に応じて、映像信号の各色信号成分にそれぞれ係数を乗算して加算するマトリクス回路における各色信号の成分比を変化させることにより、電源起動時からの時間経過に応じた表示画像の色度のずれを補正するようにした液晶表示装置が開示されている。
【先行技術文献】
【特許文献】
【０００６】
【特許文献１】特開２００７−１０８２８５号公報
【発明の概要】
【発明が解決しようとする課題】
【０００７】
しかしながら、特許文献１に記載された液晶表示装置では、電源起動時からの時間経過に応じて、一律に色度ずれを補正しているので、例えば、長時間電源オンされた後、非常に短い電源オフ期間を経て再度電源オンされた場合のように、保有温度が十分に高い状態で電源起動されると、過剰な補正が行なわれてしまうことになる。
【０００８】
そこで、この発明は上記事情を考慮してなされたもので、映像表示パネルを照明する照明手段に対して点灯が要求された場合に、いつでも最適な輝度または色度を有する照明光を安定に照射させて画質の変動を防止することができ、十分に実用に適するようにした映像表示装置及び映像表示方法を提供することを目的とする。
【課題を解決するための手段】
【０００９】
すなわち、この発明に係る映像表示装置は、映像信号に基づいて表示映像を形成する表示パネルと、表示パネルに照明光を照射して映像表示を行なわせる照明手段と、照明手段に対して照明光の照射が要求されたとき、その要求時点以前における照明手段の点灯時間と消灯時間とに基づいて、照明手段から照射される照明光の輝度及び色度の少なくとも一方を補正する制御手段とを備えるようにしたものである。
【００１０】
また、この発明に係る映像表示方法は、映像信号に基づいて表示映像を形成する表示パネルに、照明手段により照明光を照射して映像表示を行なわせる工程と、照明手段に対して照明光の照射が要求されたとき、その要求時点以前における照明手段の点灯時間と消灯時間との割り合いを求める工程と、求められた割り合いに基づいて、照明手段から照射される照明光の輝度及び色度の少なくとも一方を補正する工程とを有するようにしたものである。
【発明の効果】
【００１１】
上記した発明によれば、照明手段に対して照明光の照射が要求されたとき、その要求時点以前における照明手段の点灯時間と消灯時間とに基づいて、照明手段から照射される照明光の輝度及び色度の少なくとも一方を補正するようにしたので、いつでも最適な輝度または色度を有する照明光を安定に照射させて画質の変動を防止することができるようになり、十分に実用に適するものとなる。
【図面の簡単な説明】
【００１２】
【図１】この発明の実施の形態を示すもので、デジタルテレビジョン放送受信装置とそれを中心として構成されるネットワークシステムの一例を説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置の評価値算出部が有する点灯時間係数テーブルを説明するために示す図。
【図４】同実施の形態におけるデジタルテレビジョン放送受信装置の評価値算出部が有する消灯時間係数テーブルを説明するために示す図。
【図５】同実施の形態におけるデジタルテレビジョン放送受信装置の評価値算出部が行なう評価値の算出処理を説明するために示す図。
【図６】同実施の形態におけるデジタルテレビジョン放送受信装置が有する輝度補正特性を説明するために示す図。
【図７】同実施の形態におけるデジタルテレビジョン放送受信装置が有する色度補正特性を説明するために示す図。
【図８】同実施の形態におけるデジタルテレビジョン放送受信装置の電源オン操作時の主要な処理動作を説明するために示すフローチャート。
【図９】同実施の形態におけるデジタルテレビジョン放送受信装置の電源オフ操作時の主要な処理動作を説明するために示すフローチャート。
【発明を実施するための最良の形態】
【００１３】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１４】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等を備えた平面パネル型ディスプレイである映像表示器１４、一対のスピーカ１５、操作部１６、リモートコントローラ１７から送信される操作情報を受ける受光部１８等が設置されている。
【００１５】
また、このデジタルテレビジョン放送受信装置１１には、例えばＳＤ（secure digital）メモリカード、ＭＭＣ（multimedia card）及びメモリスティック等の第１のメモリカード１９が着脱可能となっており、この第１のメモリカード１９に対して番組や写真等の情報の記録再生が行なわれるようになっている。
【００１６】
さらに、このデジタルテレビジョン放送受信装置１１には、例えば契約情報等の記録された第２のメモリカード［ＩＣ（integrated circuit）カード］２０が着脱可能となっている。そして、この第２のメモリカード２０に対して契約情報の再生が行なわれるようになっている。
【００１７】
また、このデジタルテレビジョン放送受信装置１１は、第１のＬＡＮ（local area network）端子２１、第２のＬＡＮ端子２２、ＵＳＢ（universal serial bus）端子２３及びＩＥＥＥ（institute of electrical and electronics engineers）１３９４端子２４を備えている。
【００１８】
このうち、第１のＬＡＮ端子２１は、ＬＡＮ対応ＨＤＤ専用ポートとして使用されるもので、接続されたＮＡＳ（network attached storage）であるＬＡＮ対応のＨＤＤ（hard disk drive）２５に対して、イーサネット（登録商標）により情報の記録再生を行なうために使用される。
【００１９】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができるようになる。
【００２０】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（personal computer）２８、デジタル放送受信機能を有するＨＤＤ内蔵のＤＶＤ（digital versatile disk）レコーダ２９等の機器を接続し、これらの機器と情報伝送を行なうために使用される。
【００２１】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２２】
さらに、この第２のＬＡＮ端子２２は、ハブ２６に接続されたブロードバンドルータ３１を介して、例えばインターネット等のネットワーク３２に接続可能であり、そのネットワーク３２を介して遠隔地にあるＰＣ３３や携帯電話３４等と情報伝送を行なうために使用される。
【００２３】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２４】
さらに、上記ＩＥＥＥ１３９４端子２４は、例えば、それぞれがデジタル放送受信機能を有するＡＶ（audio video）−ＨＤＤ４１やＤ（digital）−ＶＨＳ（video home system）４２等を、ＩＥＥＥ１３９４規格に準拠した形態でシリアル接続し、これらの機器と情報伝送を行なうために使用される。
【００２５】
図２は、上記したデジタルテレビジョン放送受信装置１１の主要な信号処理系を示している。すなわち、ＢＳ／ＣＳデジタル放送受信用のアンテナ４３で受信した衛星デジタル放送信号は、入力端子４４を介して衛星デジタル放送用のチューナ４５に供給されることにより、所望のチャンネルの放送信号が選局される。
【００２６】
そして、このチューナ４５で選局された放送信号は、ＰＳＫ（phase shift keying）復調器４６に供給されてＴＳ（transport stream）が復調される。このＴＳは、ＴＳ復号器４７に供給されてデジタルの映像信号及び音声信号等に復号化された後、信号処理部４８に出力される。
【００２７】
また、地上波放送受信用のアンテナ４９で受信した地上デジタルテレビジョン放送信号は、入力端子５０を介して地上デジタル放送用のチューナ５１に供給されることにより、所望のチャンネルの放送信号が選局される。
【００２８】
そして、このチューナ５１で選局された放送信号は、ＯＦＤＭ（orthogonal frequency division multiplexing）復調器５２に供給されてＴＳが復調される。このＴＳは、ＴＳ復号器５３に供給されてデジタルの映像信号及び音声信号に復号化された後、上記信号処理部４８に出力される。
【００２９】
また、上記地上波放送受信用のアンテナ４９で受信した地上アナログテレビジョン放送信号は、入力端子５０を介して地上アナログ放送用のチューナ５４に供給されることにより、所望のチャンネルの放送信号が選局される。そして、このチューナ５４で選局された放送信号は、アナログ復調器５５に供給されてアナログの映像信号及び音声信号に復調された後、上記信号処理部４８に出力される。
【００３０】
ここで、上記信号処理部４８は、ＴＳ復号器４７，５３からそれぞれ供給されたデジタルの映像信号及び音声信号に対して、選択的に所定のデジタル信号処理を施し、グラフィック処理部５６及び音声処理部５７に出力している。
【００３１】
また、上記信号処理部４８には、複数（図示の場合は４つ）の入力端子５８ａ，５８ｂ，５８ｃ，５８ｄが接続されている。これら入力端子５８ａ〜５８ｄは、それぞれ、アナログの映像信号及び音声信号を、デジタルテレビジョン放送受信装置１１の外部から入力可能とするものである。
【００３２】
そして、この信号処理部４８は、上記アナログ復調器５５及び各入力端子５８ａ〜５８ｄからそれぞれ供給されたアナログの映像信号及び音声信号を選択的にデジタル化し、そのデジタル化された映像信号及び音声信号に対して所定のデジタル信号処理を施した後、グラフィック処理部５６及び音声処理部５７に出力している。
【００３３】
このうち、グラフィック処理部５６は、信号処理部４８から供給されるデジタルの映像信号に、ＯＳＤ（on screen display）信号生成部５９で生成されるＯＳＤ信号を重畳して出力する機能を有する。また、このグラフィック処理部５６は、信号処理部４８の出力映像信号と、ＯＳＤ信号生成部５９の出力ＯＳＤ信号とを選択的に出力することや、両出力をそれぞれ画面の半分を構成するように組み合わせて出力することができる。
【００３４】
そして、グラフィック処理部５６から出力されたデジタルの映像信号は、映像処理部６０に供給される。この映像処理部６０は、入力されたデジタルの映像信号を、前記映像表示器１４で表示可能なフォーマットのアナログ映像信号に変換した後、映像表示器１４に出力して映像表示させるとともに、出力端子６１を介して外部に導出させる。
【００３５】
また、上記音声処理部５７は、入力されたデジタルの音声信号を、前記スピーカ１５で再生可能なフォーマットのアナログ音声信号に変換した後、スピーカ１５に出力して音声再生させるとともに、出力端子６２を介して外部に導出させる。
【００３６】
ここで、このデジタルテレビジョン放送受信装置１１は、上記した各種の受信動作を含むその全ての動作を制御部６３によって統括的に制御されている。この制御部６３は、ＣＰＵ（central processing unit）６３ａを内蔵しており、前記操作部１６からの操作情報を受け、または、リモートコントローラ１７から送出され前記受光部１８で受信した操作情報を受けて、その操作内容が反映されるように各部をそれぞれ制御している。
【００３７】
この場合、制御部６３は、主として、そのＣＰＵ６３ａが実行する制御プログラムを格納したＲＯＭ（read only memory）６３ｂと、該ＣＰＵ６３ａに作業エリアを提供するＲＡＭ（random access memory）６３ｃと、各種の設定情報及び制御情報等が格納される不揮発性メモリ６３ｄとを利用している。
【００３８】
また、この制御部６３は、カードＩ／Ｆ（interface）６４を介して、前記第１のメモリカード１９が装着可能なカードホルダ６５に接続されている。これによって、制御部６３は、カードホルダ６５に装着された第１のメモリカード１９と、カードＩ／Ｆ６４を介して情報伝送を行なうことができる。
【００３９】
さらに、上記制御部６３は、カードＩ／Ｆ６６を介して、前記第２のメモリカード２０が装着可能なカードホルダ６７に接続されている。これにより、制御部６３は、カードホルダ６７に装着された第２のメモリカード２０と、カードＩ／Ｆ６６を介して情報伝送を行なうことができる。
【００４０】
また、上記制御部６３は、通信Ｉ／Ｆ６８を介して第１のＬＡＮ端子２１に接続されている。これにより、制御部６３は、第１のＬＡＮ端子２１に接続されたＬＡＮ対応のＨＤＤ２５と、通信Ｉ／Ｆ６８を介して情報伝送を行なうことができる。この場合、制御部６３は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００４１】
さらに、上記制御部６３は、通信Ｉ／Ｆ６９を介して第２のＬＡＮ端子２２に接続されている。これにより、制御部６３は、第２のＬＡＮ端子２２に接続された各機器（図１参照）と、通信Ｉ／Ｆ６９を介して情報伝送を行なうことができる。この場合、制御部６３は、ユーザの操作に基づいて、ネットワーク３２経由でコンテンツプロバイダ３４にアクセスし所望のコンテンツの取得要求を行なうように機能する。また、制御部６３は、コンテンツプロバイダ３４から送信されたコンテンツを受信して、映像表示部１４での映像表示やスピーカ１５での音声再生に供させたり、例えばＨＤＤ２５，２７，３９等の記録再生機器への記録に供させたりするように機能している。
【００４２】
また、上記制御部６３は、ＵＳＢ Ｉ／Ｆ７０を介して前記ＵＳＢ端子２３に接続されている。これにより、制御部６３は、ＵＳＢ端子２３に接続された各機器（図１参照）と、ＵＳＢ Ｉ／Ｆ７０を介して情報伝送を行なうことができる。
【００４３】
さらに、上記制御部６３は、ＩＥＥＥ１３９４ Ｉ／Ｆ７１を介してＩＥＥＥ１３９４端子２４に接続されている。これにより、制御部６３は、ＩＥＥＥ１３９４端子２４に接続された各機器（図１参照）と、ＩＥＥＥ１３９４ Ｉ／Ｆ７１を介して情報伝送を行なうことができる。
【００４４】
ここにおいて、上記映像表示器１４は、上記映像処理部６０から出力される映像信号に基づいて表示映像を形成するための液晶表示パネル１４ａと、この液晶表示パネル１４ａに照明光を照射して映像表示を行なわせるバックライト１４ｂとを備えている。このバックライト１４ｂは、例えば蛍光管や放電灯のような冷陰極管等で構成されている。
【００４５】
そして、上記制御部６３は、バックライト１４ｂを駆動するためのバックライト駆動部６３ｅを備えている。このバックライト駆動部６３ｅは、バックライト１４ｂに印加する駆動電圧のレベル、駆動電圧のパルス数、駆動電圧のパルス幅等を変化させることによって、バックライト１４ｂから照射される照明光の輝度または色度を制御することが可能である。
【００４６】
また、上記制御部６３は、評価値算出部６３ｆを備えている。この評価値算出部６３ｆは、詳細は後述するが、バックライト１４ｂが点灯されて消灯される毎に、その点灯されていた時間に対応した係数を累積加算した値と、バックライト１４ｂが消灯されて点灯される毎に、その消灯されていた時間に対応した係数を累積加算した値との差を評価値として算出し保持している。
【００４７】
すなわち、この評価値算出部６３ｆは、図３に示すように、バックライト１４ｂの点灯されている時間と係数とを対応させた点灯時間係数テーブルと、図４に示すように、バックライト１４ｂの消灯されている時間と係数とを対応させた消灯時間係数テーブルとを備えている。これらのテーダルは、いずれもバックライト１４ｂの点灯時間Ａ及び消灯時間Ｂが長いほど、係数が大きな値となるように設定されている。
【００４８】
そして、この評価値算出部６３ｆは、バックライト１４ｂが消灯状態から点灯されたとき、図示しないタイマ等を用いて点灯時点からの経過時間の計測を開始し、消灯されたときに時間計測を停止して、計測された点灯時間Ａに対応した係数を点灯時間係数テーブルから取得し、現在保持されている評価値に加算して保持するように動作する。
【００４９】
また、この評価値算出部６３ｆは、バックライト１４ｂが点灯状態から消灯されたとき、タイマを用いて消灯時点からの経過時間の計測を開始し、点灯されたときに時間計測を停止して、計測された消灯時間Ｂに対応した係数を消灯時間係数テーブルから取得し、現在保持されている評価値から減算して保持するように動作する。
【００５０】
なお、この評価値算出部６３ｆでは、評価値「０」を下限としており、算出された評価値が「０」以下になった場合には、全て「０」としている。また、この評価値算出部６３ｆでは、評価値「７」を上限としており、算出された評価値が「７」以上になった場合には、全て「７」としている。
【００５１】
評価値の算出について、具体的に説明すると、例えば、図５（ａ）に示すように、バックライト１４ｂが、２０分間消灯された後、時刻Ｔ１から５分間点灯され、時刻Ｔ２から４０分間消灯され、時刻Ｔ３から３０分間点灯され、時刻Ｔ４から２０分間消灯され、時刻Ｔ５から３０分間点灯されたとする。
【００５２】
このとき、図５（ｂ）に示すように、時刻Ｔ１に達する前に既に算出され保持されていた評価値が「１」であるとすると、バックライト１４ｂが消灯状態から点灯状態になった時刻Ｔ１では、消灯時間Ｂが２０分であったため係数「４」が現在保持されている評価値「１」から減算されることになるが、評価値は、その下限により「０」となって保持される。
【００５３】
そして、時刻Ｔ２でバックライト１４ｂが点灯状態から消灯状態になると、点灯時間Ａが５分であるため係数「１」が現在保持されている評価値「０」に加算され、評価値は「１」となって保持される。その後、時刻Ｔ３でバックライト１４ｂが消灯状態から点灯状態になると、消灯時間Ｂが４０分であるため係数「７」が現在保持されている評価値「１」から減算されることになるが、評価値は、その下限により「０」となって保持される。
【００５４】
次に、時刻Ｔ４でバックライト１４ｂが点灯状態から消灯状態になると、点灯時間Ａが３０分であるため係数「６」が現在保持されている評価値「０」に加算され、評価値は「６」となって保持される。その後、時刻Ｔ５でバックライト１４ｂが消灯状態から点灯状態になると、消灯時間Ｂが２０分であるため係数「４」が現在保持されている評価値「６」から減算され、評価値は「２」となって保持される。
【００５５】
以下、同様にして、バックライト１４ｂが点灯されたときは、その前の消灯時間Ｂに対応した係数が現在保持されている評価値から減算されて保持され、バックライト１４ｂが消灯されたときは、その前の点灯時間Ａに対応した係数が現在保持されている評価値に加算されて保持されるという動作が繰り返されて、評価値が算出されるようになっている。
【００５６】
すなわち、評価値算出部６３ｆで算出される評価値は、バックライト１４ｂが点灯と消灯とを繰り返した履歴において、消灯されている時間に比べて点灯されている時間の割り合いが大きいほど大きい値になり、点灯されている時間に比べて消灯されている時間の割り合いが大きいほど小さい値になる。
【００５７】
一方、バックライト１４ｂは、点灯されている時間、つまり、通電されている時間が長いほど保有温度が高くなり、保有温度が高い状態で点灯されるほど、点灯開示時点における輝度または色度の安定状態からのずれが小さく、輝度または色度が安定な状態に達するまでの時間も短くなる。
【００５８】
これに対し、バックライト１４ｂは、消灯されている時間、つまり、通電されていない時間が長いほど保有温度が低くなり、保有温度が低い状態で点灯されるほど、点灯開示時点における輝度または色度の安定状態からのずれが大きく、輝度または色度が安定な状態に達するまでの時間も長くなる。
【００５９】
特に、バックライト１４ｂは、消灯されている時間が長く、保有温度が低い状態で点灯されるほど、点灯開示時点において、輝度が安定状態に比べて増大し、色度が大きく変動する傾向にある。このため、保有温度や周囲温度が低い状態でバックライト１４ｂを点灯させても、点灯開始時点から安定状態と同様な輝度または色度が得られるように、バックライト１４ｂへの通電量を調整して照明光の輝度または色度を補正するようにしている。
【００６０】
図６は、このようなバックライト１４ｂに対する輝度の補正特性を示している。すなわち、図６において、左端がバックライト１４ｂの点灯時に対する輝度の補正量が最も大きい状態を示し、以後、通電時間の経過とともに、つまり、バックライト１４ｂの保有温度が高くなって照明光の輝度が安定するに連れて、補正量を少なくする特性となっている。
【００６１】
このバックライト１４ｂに対する輝度の補正特性は、上記不揮発性メモリ６３ｄに記憶されている。そして、上記バックライト駆動部６３ｅは、バックライト１４ｂの点灯が要求されたとき、この輝度補正特性に沿うようにバックライト１４ｂへの通電を制御して、照明光の輝度を補正することになる。
【００６２】
この場合、上記制御部６３では、バックライト１４ｂの点灯が要求されたとき、評価値算出部６３ｆで算出された評価値に基づいて、バックライト駆動部６３ｅでの輝度補正特性上における補正開始時点、つまり、点灯開始時点における補正量を設定している。
【００６３】
要するに、評価値が大きいほど、つまり、消灯されている時間に比べて点灯されている時間の割り合いが大きく、バックライト１４ｂの保有温度が高いと判断されるほど、補正開始時点は、図６で右側に移動される。すなわち、点灯開始時点におけるバックライト１４ｂの補正量を少なくして、過剰な輝度補正が行なわれないようにしている。
【００６４】
これに対し、評価値が小さいほど、つまり、点灯されている時間に比べて消灯されている時間の割り合いが大きく、バックライト１４ｂの保有温度が低いと判断されるほど、補正開始時点は、図６で左側に移動される。つまり、点灯開始時点におけるバックライト１４ｂの補正量を大きくして、安定時と同様な輝度が得られるようにしている。
【００６５】
図７は、上記バックライト１４ｂに対する色度を補正するためのガンマ補正特性を示している。すなわち、図７において、左端がバックライト１４ｂの点灯時に対する色度の補正量が最も大きい状態を示し、以後、通電時間の経過とともに、つまり、バックライト１４ｂの保有温度が高くなって照明光の色度が安定するに連れて、補正量を少なくする特性となっている。
【００６６】
このバックライト１４ｂに対する色度の補正特性は、上記不揮発性メモリ６３ｄに記憶されている。そして、上記バックライト駆動部６３ｅは、バックライト１４ｂの点灯が要求されたとき、この色度補正特性に沿うようにバックライト１４ｂへの通電を制御して、照明光の色度を補正することになる。
【００６７】
この場合、上記制御部６３では、バックライト１４ｂの点灯が要求されたとき、評価値算出部６３ｆで算出された評価値に基づいて、バックライト駆動部６３ｅにおける色度の補正開始時点、つまり、点灯開始時点における補正量を設定している。
【００６８】
要するに、評価値が大きいほど、つまり、消灯されている時間に比べて点灯されている時間の割り合いが大きく、バックライト１４ｂの保有温度が高いと判断されるほど、補正開始時点は、図７で右側に移動される。すなわち、点灯開始時点におけるバックライト１４ｂの補正量を少なくして、過剰な色度補正が行なわれないようにしている。
【００６９】
これに対し、評価値が小さいほど、つまり、点灯されている時間に比べて消灯されている時間の割り合いが大きく、バックライト１４ｂの保有温度が低いと判断されるほど、補正開始時点は、図７で左側に移動される。つまり、点灯開始時点におけるバックライト１４ｂの補正量を大きくして、安定時と同様な色度が得られるようにしている。
【００７０】
図８は、バックライト１４ｂの点灯が要求されたときにおける、上記制御部６３の処理動作をまとめたフローチャートを示している。この処理は、バックライト１４ｂが消灯している状態で開始（ステップＳ１）される。
【００７１】
すると、制御部６３は、ステップＳ２で、デジタルテレビジョン放送受信装置１１に対して電源をオンする操作が行なわれたか否かを判別し、電源オン操作が行なわれたと判断された場合（ＹＥＳ）、つまり、バックライト１４ｂの点灯要求があった場合、ステップＳ３で、評価値算出部６３ｆによりバックライト１４ｂが点灯される前の消灯時間Ｂに対応する係数を、現在保持している評価値から減算して評価値を算出し保持する。
【００７２】
そして、制御部６３は、ステップＳ４で、先に算出された評価値に基づいて、バックライト１４ｂに対する輝度または色度の補正処理が必要であるか否かを判別し、補正処理が必要でないと判断された場合（ＮＯ）、バックライト１４ｂに対する補正処理を終了（ステップＳ８）する。
【００７３】
また、上記ステップＳ４でバックライト１４ｂに対する輝度、色度または両方の補正処理が必要であると判断された場合（ＹＥＳ）、制御部６２は、ステップＳ５で、バックライト１４ｂの補正が必要とされた輝度または色度に対する補正開始時点、補正方法、補正必要時間等を設定し、ステップＳ６で、バックライト駆動部６３ｅにより点灯開始時からの経過時間に応じた補正処理を実行させる。
【００７４】
そして、制御部６２は、ステップＳ７で、補正必要時間を超えたか否かを判別し、越えていないと判断された場合（ＮＯ）、ステップＳ６の処理に戻されてバックライト駆動部６３ｅに補正処理を継続させ、補正必要時間を超えたと判断された場合（ＹＥＳ）、バックライト１４ｂに対する補正処理を終了（ステップＳ８）する。
【００７５】
図９は、バックライト１４ｂの消灯が要求されたときにおける、上記制御部６３の処理動作をまとめたフローチャートを示している。この処理は、バックライト１４ｂが点灯している状態で開始（ステップＳ９）される。
【００７６】
すると、制御部６３は、ステップＳ１０で、デジタルテレビジョン放送受信装置１１に対して電源をオフする操作が行なわれたか否かを判別し、電源オフ操作が行なわれたと判断された場合（ＹＥＳ）、つまり、バックライト１４ｂの消灯要求があった場合、ステップＳ１１で、評価値算出部６３ｆによりバックライト１４ｂが消灯要求される前の点灯時間Ａに対応する係数を、現在保持している評価値に加算して評価値を算出し保持する。
【００７７】
その後、制御部６３は、ステップＳ１２で、先に行なわれた電源オフ操作に対応して電源をオフし、つまり、バックライト１４ｂを消灯させて、処理を終了（ステップＳ１３）する。
【００７８】
上記した実施の形態によれば、バックライト１４ｂに対して点灯が要求されたとき、その時点より前にバックライト１４ｂが点灯と消灯とを繰り返した履歴に基づいて取得される、バックライト１４ｂの点灯時間Ａと消灯時間Ｂとの割り合いに基づいて、輝度または色度の補正特性上における補正処理を開始する時点、つまり、点灯開始時点における補正量を設定するようにしている。
【００７９】
これにより、バックライト１４ｂに対する過少や過剰な輝度または色度の補正処理が行なわれることが防止され、いつでも最適な輝度または色度を有する照明光を安定に照射させて画質の変動を防止することができ、十分に実用に適するものとすることができる。
【００８０】
また、上記評価値算出部６３ｆで計測されるバックライト１４ｂの点灯時間Ａ及び消灯時間Ｂは、タイマを用いるだけに限らず、例えば、一定周期の基準クロックをカウントするカウンタのカウント値を用いても計測することができる。
【００８１】
なお、デジタル放送では、例えばチューナ５１を介してＴＯＴ（time offset table）と称される時刻情報を常時取得することができる。このため、点灯時の時刻と消灯時の時刻とをＴＯＴで取得し、その差を算出すれば点灯時間Ａを得ることができる。また、消灯時の時刻と点灯時の時刻とをＴＯＴで取得し、その差を算出すれば消灯時間Ｂを得ることができる。
【００８２】
さらに、バックライト１４ｂの消灯期間中に、デジタルテレビジョン放送受信装置１１のプラグが商用交流電源のコンセントから外された場合には、電源が遮断される直前の時刻をＴＯＴで取得して不揮発性メモリ６３ｄに記憶し、プラグがコンセントに接続されたとき、つまり、電源が供給されたときにＴＯＴで時刻を取得することにより、電源遮断時の経過時間を算出することができる。
【００８３】
また、上記した実施の形態では、バックライト１４ｂの点灯時間Ａ及び消灯時間Ｂに対して５分毎に係数を設定するようにしたが、これに限らず、例えば、１分毎に係数を設定したり、１０分毎に係数を設定したりしても良く、必要に応じて適宜設定可能なことである。
【００８４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００８５】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ＩＥＥＥ１３９４端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…ＴＳ復号器、４８…信号処理部、４９…アンテナ、５０…入力端子、５１…チューナ、５２…ＯＦＤＭ復調器、５３…ＴＳ復号器、５４…チューナ、５５…アナログ復調器、５６…グラフィック処理部、５７…音声処理部、５８ａ〜５８ｄ…入力端子、５９…ＯＳＤ信号生成部、６０…映像処理部、６１…出力端子、６２…出力端子、６３…制御部、６３ａ…ＣＰＵ、６３ｂ…ＲＯＭ、６３ｃ…ＲＡＭ、６３ｄ…不揮発性メモリ、６３ｅ…バックライト駆動部、６３ｆ…評価値算出部、６４…カードＩ／Ｆ、６５…カードホルダ、６６…カードＩ／Ｆ、６７…カードホルダ、６８…通信Ｉ／Ｆ、６９…通信Ｉ／Ｆ、７０…ＵＳＢ Ｉ／Ｆ、７１…ＩＥＥＥ１３９４ Ｉ／Ｆ。
【図１】
2010175936.tif 000003
【図２】
2010175936.tif 000004
【図３】
2010175936.tif 000005
【図４】
2010175936.tif 000006
【図５】
2010175936.tif 000007
【図６】
2010175936.tif 000008
【図７】
2010175936.tif 000009
【図８】
2010175936.tif 000010
【図９】
2010175936.tif 000011
【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
映像信号に基づいて表示映像を表示する表示パネルと、
光を出力する照明手段と、
前記光が点灯している期間を示す第１の時間と前記光が消灯している期間を示す第２の時間とに基づいて前記光の輝度及び色度の少なくとも一方を補正する制御手段とを具備することを特徴とする映像表示装置。
【請求項２】
前記制御手段は、
前記光の輝度及び色度の少なくとも一方を補正するために予め設定された補正特性を有し、
前記第１の時間と前記第２の時間との割り合いに基づいて前記補正特性上の補正開始時点を設定することを特徴とする請求項１記載の映像表示装置。
【請求項３】
前記制御手段は、
前記第２の時間の割り合いが前記第１の時間の割り合いよりも大きいほど、前記輝度及び色度の少なくとも一方を補正するための補正量を増加し、
前記第１の時間の割り合いが前記第２の時間の割り合いよりも大きいほど、前記輝度及び色度の少なくとも一方を補正するための補正量を減少することを特徴とする請求項１記載の映像表示装置。
【請求項４】
前記制御手段は、
前記照明手段が点灯されてから前記照明手段が消灯されるまでの期間を示す前記第１の時間に対応した係数を累積加算した第１の値と、前記照明手段が消灯されてから前記照明手段が点灯されるまでの期間を示す前記第２の時間に対応した係数を累積加算した第２の値との差を評価値として算出し、
前記評価値に基づいて前記光の輝度及び色度の少なくとも一方を補正することを特徴とする請求項１記載の映像表示装置。
【請求項５】
前記制御手段は、
前記第１の時間が係数を伴なってリスト化されている、予め設定された第１の時間と係数との対応テーブルから前記第１の時間に対応する係数を読み出し、
前記第２の時間が係数を伴なってリスト化されている、予め設定された第２の時間と係数との対応テーブルから前記第２の時間に対応する係数を読み出すことを特徴とする請求項４記載の映像表示装置。
【請求項６】
前記制御手段は、
前記第１の時間に対応する係数を現在の評価値に加算してその加算結果を保持し、
前記第２の時間に対応する係数を現在の評価値から減算してその減算結果を保持することを特徴とする請求項５記載の映像表示装置。
【請求項７】
前記制御手段は、
前記評価値が大きいほど前記光の輝度及び色度の少なくとも一方を補正するための補正量を減少し、
前記評価値が小さいほど前記光の輝度及び色度の少なくとも一方を補正するための補正量を増加することを特徴とする請求項６記載の映像表示装置。
【請求項８】
前記表示パネルは液晶表示パネルであり、
前記照明手段は前記液晶表示パネルに用いられる冷陰極管でなるバックライトであることを特徴とする請求項１記載の映像表示装置。
【請求項９】
映像信号に基づいて表示映像を表示する表示パネルに、光を出力する照明手段を制御して映像を表示させる工程と、
前記光が点灯している期間を示す第１の時間と前記光が消灯している期間を示す第２の時間との割り合いを算出する工程と、
算出された割り合いに基づいて前記光の輝度及び色度の少なくとも一方を補正する工程とを有することを特徴とする映像表示方法。
【手続補正２】
【補正対象書類名】明細書
【補正対象項目名】０００９
【補正方法】変更
【補正の内容】
【０００９】
すなわち、この発明に係る映像表示装置は、映像信号に基づいて表示映像を表示する表示パネルと、光を出力する照明手段と、光が点灯している期間を示す第１の時間と光が消灯している期間を示す第２の時間とに基づいて光の輝度及び色度の少なくとも一方を補正する制御手段とを備えるようにしたものである。
【手続補正３】
【補正対象書類名】明細書
【補正対象項目名】００１０
【補正方法】変更
【補正の内容】
【００１０】
また、この発明に係る映像表示方法は、映像信号に基づいて表示映像を表示する表示パネルに、光を出力する照明手段を制御して映像を表示させる工程と、光が点灯している期間を示す第１の時間と光が消灯している期間を示す第２の時間との割り合いを算出する工程と、算出された割り合いに基づいて光の輝度及び色度の少なくとも一方を補正する工程とを有するようにしたものである。
【手続補正４】
【補正対象書類名】明細書
【補正対象項目名】００１１
【補正方法】変更
【補正の内容】
【００１１】
上記した発明によれば、映像信号に基づいて表示映像を表示する表示パネルに、照明手段から光を出力して映像を表示させる際、光が点灯している期間を示す第１の時間と光が消灯している期間を示す第２の時間とに基づいて、光の輝度及び色度の少なくとも一方を補正するようにしたので、いつでも最適な輝度または色度を有する照明光を安定に照射させて画質の変動を防止することができるようになり、十分に実用に適するものとなる。
【手続補正書】
【提出日】平成22年2月15日(2010.2.15)
【手続補正１】
【補正対象書類名】明細書
【補正対象項目名】０００９
【補正方法】変更
【補正の内容】
【０００９】
すなわち、この発明に係る映像表示装置は、映像信号に基づいて映像を表示する表示パネルと、表示パネルに光を照射する照明手段と、照明手段から照射される光の輝度及び色度の少なくとも一方を補正する制御手段とを備え、制御手段は、照明手段の点灯時間と係数とを対応させた点灯時間係数テーブルと、照明手段の消灯時間と係数とを対応させた消灯時間係数テーブルとを有し、点灯時間係数テーブルから取得した照明手段の点灯時間に対応する係数の累積加算値と、消灯時間係数テーブルから取得した照明手段の消灯時間に対応する係数の累積加算値との差を評価値として算出し、評価値に基づいて、照明手段から照射される光の輝度及び色度の少なくとも一方を補正するために予め設定された補正特性上の補正開始時点を設定するようにしたものである。
【手続補正２】
【補正対象書類名】明細書
【補正対象項目名】００１０
【補正方法】変更
【補正の内容】
【００１０】
また、この発明に係る映像表示方法は、映像信号に基づいて映像を表示する表示パネルに照明手段から光を照射する工程と；照明手段の点灯時間と係数とを対応させた点灯時間係数テーブルから取得した照明手段の点灯時間に対応する係数の累積加算値と、照明手段の消灯時間と係数とを対応させた消灯時間係数テーブルから取得した照明手段の消灯時間に対応する係数の累積加算値との差を評価値として算出する工程と；評価値に基づいて、照明手段から照射される光の輝度及び色度の少なくとも一方を補正するために予め設定された補正特性上の補正開始時点を設定する工程とを有するようにしたものである。
【手続補正３】
【補正対象書類名】明細書
【補正対象項目名】００１１
【補正方法】変更
【補正の内容】
【００１１】
上記した発明によれば、映像信号に基づいて映像を表示する表示パネルに、照明手段から光を照射して映像を表示させる際、照明手段の点灯時間と係数とを対応させた点灯時間係数テーブルから取得した照明手段の点灯時間に対応する係数の累積加算値と、照明手段の消灯時間と係数とを対応させた消灯時間係数テーブルから取得した照明手段の消灯時間に対応する係数の累積加算値との差を評価値として算出し、その評価値に基づいて、照明手段から照射される光の輝度及び色度の少なくとも一方を補正するために予め設定された補正特性上の補正開始時点を設定するようにしたので、いつでも最適な輝度または色度を有する照明光を安定に照射させて画質の変動を防止することができるようになり、十分に実用に適するものとなる。
【手続補正４】
【補正対象書類名】特許請求の範囲
【補正対象項目名】全文
【補正方法】変更
【補正の内容】
【特許請求の範囲】
【請求項１】
映像信号に基づいて映像を表示する表示パネルと、
前記表示パネルに光を照射する照明手段と、
前記照明手段から照射される光の輝度及び色度の少なくとも一方を補正する制御手段とを具備し、
前記制御手段は、
前記照明手段の点灯時間と係数とを対応させた点灯時間係数テーブルと、前記照明手段の消灯時間と係数とを対応させた消灯時間係数テーブルとを有し、
前記点灯時間係数テーブルから取得した前記照明手段の点灯時間に対応する係数の累積加算値と、前記消灯時間係数テーブルから取得した前記照明手段の消灯時間に対応する係数の累積加算値との差を評価値として算出し、
前記評価値に基づいて、前記照明手段から照射される光の輝度及び色度の少なくとも一方を補正するために予め設定された補正特性上の補正開始時点を設定することを特徴とする映像表示装置。
【請求項２】
前記制御手段は、
前記評価値が前記照明手段の消灯時間よりも点灯時間が長いことを示しているほど、前記補正特性上における前記補正開始時点を補正量が増加する位置に設定し、
前記評価値が前記照明手段の点灯時間よりも消灯時間が長いことを示しているほど、前記補正特性上における前記補正開始時点を補正量が減少する位置に設定することを特徴とする請求項１記載の映像表示装置。
【請求項３】
前記制御手段は、
前記点灯時間係数テーブルから取得した前記照明手段の点灯時間に対応する係数を現在の評価値に加算してその加算結果を保持し、
前記消灯時間係数テーブルから取得した前記照明手段の消灯時間に対応する係数を現在の評価値から減算してその減算結果を保持することを特徴とする請求項１記載の映像表示装置。
【請求項４】
前記制御手段は、算出される前記評価値に上限と下限とを設定することを特徴とする請求項１記載の映像表示装置。
【請求項５】
前記制御手段は、算出された前記評価値に基づいて、前記照明手段から照射される光の輝度及び色度の少なくとも一方に補正が必要であるか否かを判別し、補正が必要でない場合には補正を行なわないことを特徴とする請求項１記載の映像表示装置。
【請求項６】
前記制御手段は、一定周期の基準クロックをカウントするカウンタによって、前記照明手段の点灯時間と消灯時間とをそれぞれ計測することを特徴とする請求項１記載の映像表示装置。
【請求項７】
前記制御手段は、デジタル放送を受信して取得した時刻情報に基づいて、前記照明手段の点灯時間と消灯時間とをそれぞれ計測することを特徴とする請求項１記載の映像表示装置。
【請求項８】
前記表示パネルは、液晶表示パネルであり、
前記照明手段は、前記液晶表示パネルに用いられる冷陰極管でなるバックライトであることを特徴とする請求項１記載の映像表示装置。
【請求項９】
映像信号に基づいて映像を表示する表示パネルに照明手段から光を照射する工程と、
前記照明手段の点灯時間と係数とを対応させた点灯時間係数テーブルから取得した前記照明手段の点灯時間に対応する係数の累積加算値と、前記照明手段の消灯時間と係数とを対応させた消灯時間係数テーブルから取得した前記照明手段の消灯時間に対応する係数の累積加算値との差を評価値として算出する工程と、
前記評価値に基づいて、前記照明手段から照射される光の輝度及び色度の少なくとも一方を補正するために予め設定された補正特性上の補正開始時点を設定する工程とを有することを特徴とする映像表示方法。